(57)【特許請求の範囲】
【請求項１】
円筒状の胴部と該胴部の先端に設けられた吐出部とを有し、コーキング材やシーリング材等が胴部内に充填されたカートリッジ製品の販売店等における陳列方法であって、カートリッジ製品の胴部外径と略等しい間隔で複数本の棒を平行に架設するとともに、隣り合う棒に向けて湾曲する湾曲部と直線部とを棒の長さ方向に交互に形成し、該湾曲部が隣り合う棒において同位置になるようにし、前記カートリッジ製品を隣り合う棒の直線部同士の間及び／又は湾曲部同士の間に直立させることを特徴とするカートリッジ製品の陳列方法。
【請求項２】
円筒状の胴部と該胴部の先端に設けられた吐出部とを有し、コーキング材やシーリング材等が胴部内に充填されたカートリッジ製品を、販売店等において陳列するために使用される治具であって、カートリッジ製品の胴部外径と略等しい間隔で平行に架設された複数本の棒と、該棒を前記胴部の高さ範囲にて固定保持する基台とからなり、隣り合う棒同士の間隔が小さくされた幅狭部が棒の長さ方向に所定間隔で設けられてなることを特徴とするカートリッジ製品の陳列治具。
【請求項３】
前記幅狭部が、隣り合う棒に向けて一方向に湾曲する湾曲部を棒の長さ方向に所定間隔で形成し、該湾曲部を隣り合う棒において同位置とすることにより形成されてなることを特徴とする請求項２に記載のカートリッジ製品の陳列治具。
【請求項４】
前記湾曲部が円弧状であることを特徴とする請求項３記載のカートリッジ製品の陳列治具。
【発明の詳細な説明】
【０００１】
【発明の属する技術分野】
本発明はカートリッジ製品の陳列方法及びこの方法に使用する治具に係り、その目的はカートリッジ製品の寸法のバラツキに対応することが可能で汎用性に優れるとともに、陳列されたカートリッジ製品の転倒を防ぐことができ、製品を傾斜状態で陳列することも可能な陳列方法及び陳列治具を提供することにある。
【０００２】
【従来の技術】
一般に、コーキング材、シーリング材、シーラント材、接着剤等のカートリッジ製品（Ａ）は、図９に示すように、円筒状の胴部（Ｂ）と、該胴部（Ｂ）の先端に設けられた吐出部（Ｃ）とからなり、使用時においては、吐出部（Ｃ）先端をカッター等で切断し、胴体（Ｂ）内部のシール膜を突き破った後、図１０に示すように吐出治具（Ｄ）に装着した状態で作業者がハンドル（Ｅ）を握ることによって、胴部（Ｂ）内に充填された内容物を吐出部（Ｃ）先端から吐出させることにより使用される。
従来、このようなカートリッジ製品（Ａ）を量販店等で販売する際には、図１１に示すような陳列治具（Ｆ）が使用されている。
この陳列治具（Ｆ）は、カートリッジ製品（Ａ）の胴部（Ｂ）の外径と略等しい間隔で直線状の複数本の棒（Ｇ）を平行に架設したものであり、カートリッジ製品（Ａ）は図１２に示すように、隣り合う棒（Ｇ）同士の間に直立した状態で陳列される。
【０００３】
【発明が解決しようとする課題】
しかしながら、上記したような従来の陳列治具（Ｆ）には幾つかの問題点が存在した。
先ず、カートリッジ製品（Ａ）の胴部（Ｂ）の外径寸法は容量によって略一定値とされているが、製造メーカーによって多少の寸法のバラツキがあり、例えば本願発明者が実測したところによると、容量３３０ｃｃのカートリッジ製品の外径値は、Ａ社製品は４９．３ｍｍ、Ｂ社製品は５０．０ｍｍ、Ｃ社製品は５１．０ｍｍというようにばらついていた。
この場合、全てのメーカーの製品を１つの陳列治具（Ｆ）に陳列しようとすると、隣り合う棒（Ｇ）同士の間隔を外径の最大値である５１．０ｍｍに設定する必要がある。しかしながら、そうすると外径値が小さいＡ社やＢ社の製品を陳列した場合に棒（Ｇ）と製品（Ａ）の間に隙間が生じてしまい、直立させた製品が僅かな衝撃で簡単に倒れてしまうという不都合が生じた。
【０００４】
従来の陳列治具を使用した陳列方法では、カートリッジ製品が治具内に充填されて製品同士が密着している場合には、製品は安定した直立状態を保つことができる。
しかしながら、カートリッジ製品は高さが高くて底面積が小さいために、直立状態において不安定であり、例えば客の購入によって治具から製品が抜き取られて図１２に示すように製品同士の間に空隙が生じた場合には、製品は忽ち不安定な状態となって倒れやすくなっていた。
しかも一つの製品が倒れると、これに伴ってドミノ倒しの如く隣の製品も順次倒れてしまうことから、倒れた製品を起こす作業が非常に面倒であった。
また量販店等では、様々な製品を陳列するに際して見栄えを良くしたり客が手に取りやすいように製品を傾けて陳列することも多いが、従来の陳列治具（Ｆ）を使用してカートリッジ製品（Ａ）を傾けて陳列した場合、カートリッジ製品（Ａ）の直立状態は一層不安定となって転倒しやすくなるという問題があった。
【０００５】
【課題を解決するための手段】
本発明は上記従来技術のもつ課題を解決するためになされたものであって、請求項１に係る発明は、円筒状の胴部と該胴部の先端に設けられた吐出部とを有し、コーキング材やシーリング材等が胴部内に充填されたカートリッジ製品の販売店等における陳列方法であって、カートリッジ製品の胴部外径と略等しい間隔で複数本の棒を平行に架設するとともに、隣り合う棒に向けて湾曲する湾曲部と直線部とを棒の長さ方向に交互に形成し、該湾曲部が隣り合う棒において同位置になるようにし、前記カートリッジ製品を隣り合う棒の直線部同士の間及び／又は湾曲部同士の間に直立させることを特徴とするカートリッジ製品の陳列方法に関する。
【０００６】
請求項２に係る発明は、円筒状の胴部と該胴部の先端に設けられた吐出部とを有し、コーキング材やシーリング材等が胴部内に充填されたカートリッジ製品を、販売店等において陳列するために使用される治具であって、カートリッジ製品の胴部外径と略等しい間隔で平行に架設された複数本の棒と、該棒を前記胴部の高さ範囲にて固定保持する基台とからなり、隣り合う棒同士の間隔が小さくされた幅狭部が棒の長さ方向に所定間隔で設けられてなることを特徴とするカートリッジ製品の陳列治具に関する。
請求項３に係る発明は、前記幅狭部が、隣り合う棒に向けて一方向に湾曲する湾曲部を棒の長さ方向に所定間隔で形成し、該湾曲部を隣り合う棒において同位置とすることにより形成されてなることを特徴とする請求項２に記載のカートリッジ製品の陳列治具に関する。
請求項４に係る発明は、前記湾曲部が円弧状であることを特徴とする請求項３記載のカートリッジ製品の陳列治具に関する。
【０００７】
【発明の実施の形態】
以下、本発明に係るカートリッジ製品の陳列方法及びこの方法に使用する治具の好適な実施形態について図面を参照しつつ説明する。
本発明におけるカートリッジ製品とは、図９に示すような円筒状の胴部（Ｂ）の先端に吐出部（Ｃ）を備えた形状を有し、使用時においては、図１０に示すように吐出治具（Ｄ）に装着した状態で、作業者がハンドル（Ｅ）を握ることにより胴部（Ｂ）内に充填された内容物を吐出するものを指す。尚、充填される内容物としてはコーキング材、シーリング材、シーラント材、接着剤等を例示することができるが特に限定はされない。
【０００８】
図１は本発明に係るカートリッジ製品の陳列方法において使用される陳列治具（１）の斜視図であり、図２はその平面図である。
陳列治具（１）は、基台（２）と、この基台（２）の上部に平行に架設された複数本の棒（３）とから構成される。
【０００９】
基台（２）は、棒（３）をカートリッジ製品の胴部高さの範囲内、好ましくは下端部から５〜１０ｃｍ程度の高さ位置にて固定保持することが可能であればよく、その形状は特に限定されないが、図示例では、長方形の枠体（２１）と、この枠体（２１）の四隅部に垂直に立設された４本の縦棒（２２）と、前記枠体（２１）の短辺に対して平行に縦棒（２２）の上端部同士を繋ぐ２本の支持棒（２３）とから構成されており、２本の支持棒（２３）の間には複数本の棒（３）が互いに平行に固定状態で架設されている。尚、棒（３）の数は図示例では５本とされているが、２〜４本或いは６本以上であってもよい。
【００１０】
互いに平行に架設された複数本の棒（３）には、湾曲部（３１）と直線部（３２）とが棒の長さ方向に一定間隔で交互に形成されている。
湾曲部（３１）は、隣り合う棒に向けて同方向に円弧状に湾曲しており、該湾曲部（３１）は隣り合う棒（３）において同位置に形成されている。尚、この湾曲部（３１）の形状は円弧状に限定されず、例えば図３に示すような山形状としてもよいし、図４に示すような凹形状としてもよい。
【００１１】
棒（３）の長さ方向における湾曲部（３１）同士の距離は、カートリッジ製品の胴部の外径と同じかそれ以上に設定される。
また、隣り合う棒（３）の直線部（３２）同士の間隔（Ｄ１）は、カートリッジ製品の円筒状胴部の外径と略等しい間隔、好ましくは市販されている同種類、同容量のカートリッジ製品の中で最も大きい胴部の外径寸法に合わせて設定される。
そして、湾曲部（３１）の頂点（３３）と、直線部（３２）から湾曲部（３１）への変曲点（３４）との距離（Ｄ２）は、カートリッジ製品の胴部外径よりも小さく形成される。
【００１２】
以下、上記構成からなる陳列治具（１）を使用したカートリッジ製品の陳列方法について説明する。
図５はカートリッジ製品の陳列方法の一例を示す斜視図であり、カートリッジ製品（Ａ）は、陳列治具（１）の隣り合う棒（３）同士の間に円筒状胴部を上から差し入れることにより直立状態で並べられる。
【００１３】
そして、陳列しようとするカートリッジ製品（Ａ）の胴部の外径寸法が全て同じ場合には、図６に示す如く、カートリッジ製品（Ａ）を隣り合う棒（３）の直線部（３２）同士の間に位置するように並べる。
この陳列方法によれば、一つのカートリッジ製品（Ａ）が何らかの原因で倒れかかったとしても、湾曲部（３１）によって棒同士の間隔が胴部外径よりも小さく形成された部分が存在しているためにその転倒が防止され、しかも他のカートリッジ製品がこれに伴って転倒することもない。
また、図７に示す如く、傾斜して設けられた陳列治具（１）にカートリッジ製品（Ａ）を陳列した場合でも、カートリッジ製品（Ａ）が湾曲部（３１）によって支持されるため倒れることがなく、販売のために効果的な陳列形態をとることができる。
【００１４】
また、陳列しようとするカートリッジ製品（Ａ）に、胴部の外径寸法が異なるものが存在する場合には、図８に示すように、胴部の外径が大きい製品（Ａ１）は隣り合う棒（３）の直線部（３２）同士の間に、胴部の外径が小さい製品（Ａ２）は隣り合う棒（３）の湾曲部（３１）同士の間に位置するように並べるとよい。
この陳列方法によれば、陳列しようとする複数のカートリッジ製品の中に、胴部の外径が異なるカートリッジ製品が存在していたとしても、全ての製品を棒（３）との間に隙間を生じさせることなく一つの治具に並べることが可能であり、外径寸法が小さい製品が容易に転倒することがない。
【００１５】
【発明の効果】
以上説明したように、本発明は、円筒状の胴部と該胴部の先端に設けられた吐出部とを有し、コーキング材やシーリング材等が胴部内に充填されたカートリッジ製品の販売店等における陳列方法であって、カートリッジ製品の胴部外径と略等しい間隔で複数本の棒を平行に架設するとともに、隣り合う棒に向けて湾曲する湾曲部と直線部とを棒の長さ方向に交互に形成し、該湾曲部が隣り合う棒において同位置になるようにし、前記カートリッジ製品を隣り合う棒の直線部同士の間及び／又は湾曲部同士の間に直立させることを特徴とするカートリッジ製品の陳列方法、及び、円筒状の胴部と該胴部の先端に設けられた吐出部とを有し、コーキング材やシーリング材等が胴部内に充填されたカートリッジ製品を、販売店等において陳列するために使用される治具であって、カートリッジ製品の胴部外径と略等しい間隔で平行に架設された複数本の棒と、該棒を前記胴部の高さ範囲にて固定保持する基台とからなり、隣り合う棒同士の間隔が小さくされた幅狭部が棒の長さ方向に所定間隔で設けられてなることを特徴とするカートリッジ製品の陳列治具であるから、以下に述べる効果を奏する。
【００１６】
すなわち、直線部同士の間に並べられたカートリッジ製品は、湾曲部によって支えられることで転倒が防がれるため、例えば、客が製品購入の際に陳列治具から製品を抜き取った際に、抜き取った製品が隣の製品に接触したとしても、製品がドミノ倒しのように倒れてしまうことがない。
しかも、陳列治具を斜めに傾けた状態としても、製品が倒れることがなく、見栄えのよい効果的な製品陳列を行うことができる。
また、胴部の外径寸法が異なる製品があったとしても、大きい製品は棒の直線部同士の間、小さい製品は湾曲部同士の間に並べることによって、全ての製品を棒に密着させた状態で一つの陳列治具にて陳列することができる。
【図面の簡単な説明】
【図１】本発明に係るカートリッジ製品の陳列方法において使用される陳列治具の斜視図である。
【図２】本発明に係るカートリッジ製品の陳列方法において使用される陳列治具の平面図である。
【図３】湾曲部の別の形態を示す部分拡大図である。
【図４】湾曲部の別の形態を示す部分拡大図である。
【図５】本発明に係るカートリッジ製品の陳列方法の一例を示す斜視図である。
【図６】本発明に係るカートリッジ製品の陳列方法の一例を示す概略平面図である。
【図７】本発明に係るカートリッジ製品の陳列方法の一例を示す斜視図である。
【図８】本発明に係るカートリッジ製品の陳列方法の一例を示す概略平面図である。
【図９】カートリッジ製品の斜視図である。
【図１０】カートリッジ製品の使用方法を示す図である。
【図１１】従来使用されているカートリッジ製品の陳列治具を示す斜視図である。
【図１２】従来の陳列治具を使用してカートリッジ製品を陳列した状態を示す斜視図である。
【符号の説明】
１      陳列治具
２      基台
３      棒
３１    湾曲部
３２    直線部
Ａ      カートリッジ製品
Ｂ      胴部
Ｃ      吐出部
【図１】
0004271775.tif 000002
【図２】
0004271775.tif 000003
【図３】
0004271775.tif 000004
【図４】
0004271775.tif 000005
【図５】
0004271775.tif 000006
【図６】
0004271775.tif 000007
【図７】
0004271775.tif 000008
【図８】
0004271775.tif 000009
【図９】
0004271775.tif 000010
【図１０】
0004271775.tif 000011
【図１１】
0004271775.tif 000012
【図１２】
0004271775.tif 000013